(57)【要約】      （修正有）【課題】細番手のナイロン等を主体にした編地からなる保温効果を有する下穿き類を提供する。【解決手段】口ゴム部２と左右２枚の筒編地からなる身頃部５を縫合した下穿き類１において、口ゴム部２と身頃部５を上下端で袋状に折り返した２重編地７にし、口ゴム部２の下端２ａで綴じた下穿き類と、口ゴム部と左右２枚の筒編地からなる身頃部を縫合した下穿き類において、身頃部が下端で袋状に折り返した２重編地からなり、口ゴム部２の下端で縫合した下穿き類を構成するものである。【選択図】図２
0003136876.tif 000002
【実用新案登録請求の範囲】
【請求項１】
口ゴム部と左右２枚の筒編地からなる身頃部を縫合した下穿き類において、前記口ゴム部と身頃部を上下端で袋状に折り返した２重編地にし、前記口ゴム部の下端で綴じたことを特徴とする下穿き類。
【請求項２】
口ゴム部と左右２枚の筒編地からなる身頃部を縫合した下穿き類において、前記身頃部が下端で袋状に折り返した２重編地からなり、前記口ゴム部の下端で縫合したことを特徴とする下穿き類。
【請求項３】
前記２重編地からなる身頃部のほかに、１重の襠部を設けた請求項１または請求項２記載の下穿き類。
【請求項４】
前記２重編地に、遠赤外線糸等の発熱効果を有する編糸を使用した請求項１または請求項２記載の下穿き類。
【考案の詳細な説明】
【技術分野】
【０００１】
本考案は、下穿き類に係り、更に詳しくは、保温効果を目的とした下穿き類に関するものである。なお本考案でいう下穿き類とは、下肌に直接触れる状態で着用するショーツ、ガードル、スパッツ等の肌着である。
【背景技術】
【０００２】
細番手のナイロン等を主体にした編地からなる下穿き類は、生地がすべすべして肌触りがよく、婦人向きに愛されているが、薄地であるため涼しすぎ、冬場には保温効果を有する暖かいものが要望されている。保温効果を持たせるために厚地にしたのでは、体形が乱れて、婦人向きには好まれない。そのため、空気層を保持させた薄地の２重編地構造にすることが好ましい。この２重編地自体は、例えば特許文献１に示すように、靴下で広く利用されている。
【特許文献１】登録実用新案第３０４５７１１号公報
【０００３】
また、下穿き類にも、特許文献２及び特許文献３に示すように、利用はされている。しかし、特許文献２と特許文献３は、一部に２重編地を使用しているに止まり、下穿き類の身頃部を２重編にして、保温効果を高めたものではない。
【特許文献２】登録実用新案第３１０８１３３号公報
【特許文献３】登録実用新案第３１０７５０２号公報
【０００４】
さらに保温効果を高めるためには、例えば特許文献４に示すように、遠赤外線糸等の発熱効果を有する編糸を使用することが望ましい。ただし、特許文献４は、パンティストッキングの例であって、２重筒編地に関するものではない。
【特許文献４】特開２００７−８４９５５号公報
【考案の開示】
【考案が解決しようとする課題】
【０００５】
上記の事情に鑑み、本考案は、細番手のナイロン等を主体にした編地からなる保温効果を有する下穿き類を提供することを課題とする。
【課題を解決するための手段】
【０００６】
本考案は、上記目的を達成するために、口ゴム部と左右２枚の筒編地からなる身頃部を縫合した下穿き類において、前記口ゴム部と身頃部を上下端で袋状に折り返した２重編地にし、前記口ゴム部の下端で綴じた下穿き類を構成するものである。
【０００７】
また本考案は、上記目的を達成するために、口ゴム部と左右２枚の筒編地からなる身頃部を縫合した下穿き類において、前記身頃部が下端で袋状に折り返した２重編地からなり、前記口ゴム部の下端で縫合した下穿き類を構成するものである。
【考案の効果】
【０００８】
本考案の下穿き類は、身頃部を２重編にしているので、体温から発する熱を２重構造の内部の空気層で保持するため、保温効果のよいものとなっている。特に２重編は、裏生地同士が内面で接触するため、隆起するシンカーループ間の谷間によって溝（ピット）が形成され、空気層ができやすい。
【０００９】
本考案の下穿き類の２重編地の編糸に、遠赤外線糸や発熱効果を有する糸を使用すると、一層保温効果のよい下穿き類とすることができる。
【００１０】
本考案の下穿き類は、１枚の編地を薄地のものから構成しているため、肌に密着して体形を乱すことがない。
【００１１】
本考案の下穿き類は、肌触りのよいものとなっている。それは、身頃部を２重編にしているので、表生地がざらざら感のない、緩やかなニードルループによって構成されることによる。
【００１２】
本考案の下穿き類は、裾のヘム部分が生地を折り返しているので、当たりがなく、外面に露出することもない。
【考案を実施するための最良の形態】
【００１３】
以下、本考案の実施例を図面に基づいて詳しく説明する。
【実施例１】
【００１４】
図１は本考案のガ−ドルからなる下穿き類の一実施例を示す正面図、図２は同生地一枚の縦断面図であり、図３は図１の身頃部の編組織図であり、図４は同編糸の拡大断面を示し、（イ）はピット内に空気層を有する説明図、（ロ）は表生地がニードルループによって緩やかな隆起を呈することの説明図である。
【００１５】
図１において、本考案のガードルからなる下穿き類１は、上部の口ゴム部２と、腹周り３と両足周り４，４からなる身頃部５のほかに、一重の襠部６とからなる編地で構成されている。そして口ゴム部２と身頃部５の編地は、左右２枚の筒編地からなっている。
【００１６】
図２において、本考案の下穿き類１からなる筒編地の編成手順を次に説明する。本考案の筒編地７は、Ｋ式編機のメークアップ装置によって、ダブルウェルト（袋編）に編立てられる。７１が、身頃部５からなる第１メークアップの編み始め点である。７２が身頃部下端の裾折り返し点である。７３が、第１移しのトランスファ−点で、ここから口ゴム部２の編成が開始される。７４は、第２メークアップの編み始め点である。７５が口ゴム部上端の折り返し点である。７６が、第２移しのトランスファの点で、ここからウェストコースが開始される。そして７７が、編み終わりのプレスオフ点である。このようにして、身頃部５と口ゴム部２は、袋状に折り返した２重編地に構成され、２重編地は口ゴム部の下端２ａで綴じられる。
【００１７】
Ｋ式編機のメークアップ装置によるメークアップは、例えば図３に示すように、下穿き類の穿口の二重編部を編成する最初に、編針Ｎは１本おきの作用位置になるようにする。まず、第１コースの給糸では１目置きのループが編成される。次に第２コースの給糸では全部の編針が作用し編成される。第３コースの給糸では、再び編針Ｎは１本おきの針の配列となり、１本おきの針が作用位置になるようにする。そして不作用針の上にジャック７１のフックが進出してそのままループを保持してダイヤル装置の中に後退し、ウエルト編成の終了時までその状態を継続する。更に第４コースの給糸から全部の編針が編成位置をとり、ウエルト編成を継続する。
メークアップのあとでウエルトコースを編成し、ダイヤルジャックに保持されていたループを編針に移すトランスファ工程は図４に示すとおりである。
【００１８】
この２重筒編地７，７は、図１のように、中央上方で切断され、襠部６を介して中央上方で縫合８されて、ガードルからなる下穿き類１の腹周り３を構成する。なお襠部６の編地は１重であって、２重の編地は使用していない。
【００１９】
図５は、本実施例の身頃部の編組織図の一例である。本考案の下穿き類１の編組織は、特に限定されるものではない。図３の組織は、普通の平編であり、９ａがニードルループを、９ｂがシンカーループであることを示している。
【００２０】
図６は、編糸の拡大断面による説明図で、Ｓは糸の断面を示す。２重編地７の（イ）は、裏生地Ｂ，Ｂ同士が内面で接触するため、隆起するシンカーループ９ｂ，９ｂ間の谷間によって、ピットの溝１０が形成され、空気層ができやすい。（ロ）において、裏生地Ｂはシンカーループ９ｂによって構成されるため、ざらざらとした感触になる。これに対し表生地Ｆはニードルループ９ａによって構成されるため、緩やかな肌触りのよい感触のものとなる。
【００２１】
本考案の下穿き類１は、糸使いによる限定はない。本実施例の場合は、２重筒編地７，７の編糸に遠赤外線糸を使用している。なお遠赤外線糸以外の、発熱効果を有する糸を使用するも可能である。
【００２２】
２重筒編地７，７は、本実施例の場合、１枚の厚みが０．６ｍｍと薄地のものからなっている。しかし２枚の編地の内部には、空気層１０を有するため、保温効果はよいものとなっている。
【実施例２】
【００２３】
図７は、本考案の下穿き類の別の実施例を示す同生地一枚の縦断面図である。本実施例の筒編地１０７は、身頃部１０５が袋状に折り返した２重編地で構成するが、口ゴム部１０２はアウトゴムの１重編地であり、両者を口ゴム部の下端１０２ａで縫合して下穿き類を構成する。
【００２４】
図７において、本考案の下穿き類からなる筒編地の編成手順を次に説明する。本考案の筒編地１０７は、Ｋ式編機のメークアップ装置によって、ダブルウェルト（袋編）に編立てられる。１７１が、身頃部１０２からなる第１メークアップの編み始め点である。１７２が身頃部下端の裾折り返し点である。１７３が、第１移しのトランスファ点である。そして１７７が、編み終わりのプレスオフ点である。口ゴム部１０２は、予めアウトゴムの１重編地で編成している。この両者を、口ゴム部１０２の下端１０２ａで縫合１０８して下穿き類を仕上げている。
【産業上の利用可能性】
【００２５】
本考案の下穿き類は、保温効果が非常によく、冬場に広く利用されうるものとなっている。
【図面の簡単な説明】
【００２６】
【図１】本考案のガードルからなる下穿き類の一実施例を示す正面図である。
【図２】同生地一枚の縦断面図である。
【図３】メークアップ時の編成順序を示す概略図である。
【図４】トランスファ時の編成順序を示す概略図である。
【図５】図１の身頃部の編組織図である。
【図６】同編糸の拡大断面を示し、（イ）はピット内に空気層を有する説明図、（ロ）は表生地がニードルループによって緩やかな隆起を呈することの説明図である。
【図７】本考案の下穿き類の別な実施例を示す、同生地一枚の縦断面図である。
【符号の説明】
【００２７】
１                ガードルからなる下穿き類
２，１０２        口ゴム部
２ａ，１０２ａ    口ゴム部の下端
３              腹周り
４              両足周り
５，１０５      身頃部
６              襠部
７，１０７      ２重筒編地
７１，１７１    第１メークアップの編み始め点
７２，１７２    身頃部下端の裾折り返し点
７３，１７３    第１移しのトランスファ−点
７４            第２メークアップの編み始め点
７５            口ゴム部上端の折り返し点
７６            第２移しのトランスファ−点
７７，１７７    編み終わりのプレスオフ点
８，１０８      縫合箇所
９ａ            ニードルループ
９ｂ            シンカーループ
１０            ピット溝の空気層
Ｂ              裏生地
Ｆ              表生地
Ｓ              糸の断面
【図１】
0003136876.tif 000003
【図２】
0003136876.tif 000004
【図３】
0003136876.tif 000005
【図４】
0003136876.tif 000006
【図５】
0003136876.tif 000007
【図６】
0003136876.tif 000008
【図７】
0003136876.tif 000009